(57)【要約】【課題】スライド式カーテンを備えたモバイルデバイスカバーを提供する。【解決手段】一つのフレーム及び前記フレーム上に設置されスライド式のモジュールとなる一つのスライド式カーテンを含むモバイルデバイスカバーであって、前記フレームは、一つのモバイルデバイスを嵌入するために用いられ、嵌入後、前記スライド式カーテンによってモバイルデバイス的タッチパネルを遮蔽することができる。これにより、前記タッチパネルを保護し、モバイルデバイスのタッチパネルが擦り傷や磨耗により損傷するのを防ぐ。また、使用者がモバイルデバイスを使用する必要がある時は、前記スライド式カーテンを移動させ、モバイルデバイスのタッチパネルを露出させることで、使用者は直接モバイルデバイスのタッチパネルを操作することができる。【選択図】図１
0003172895.tif 000002
【実用新案登録請求の範囲】
【請求項１】
一つのフレームと、前記フレーム上に設置されスライド式のモジュールとなる一つのスライド式カーテンを有するモバイルデバイスカバーであって、
前記フレームは、二つのＵ字型部材及び一つの第一連接板が一体となった構造により構成され、
前記第一連接板は縦長であり、その縦長の方向の両端は、それぞれ前記二つのＵ字型部材のうち一つと連接され、それにより前記二つのＵ字型部材は互いに間隔をとり、一つの窓形孔（Ｅ３）を形成し、
前記第一連接板はその下方に一つの挿入孔（Ｅ１）を形成し、
前記Ｕ字型部材はそれぞれ、前記挿入孔（Ｅ１）及び前記窓形孔（Ｅ３）と繋がりモバイルデバイスをその中に設置することができるよう形成される一つの収納孔（Ｅ２）を有し、
前記二つのＵ字型部材の向かい合った側面には、それぞれ一つのＵ字型スライドレールが設置され、
前記スライド式カーテンは、複数のカーテン棒ユニットをヒンジ結合することで構成され、一つ一つのカーテン棒ユニットの両側は、全て前記フレームの二つのＵ字型部材のＵ字型スライドレール内に設置され、
前記スライド式カーテンは、スライド方式により前記フレームの窓形孔（Ｅ３）を開閉する事ができることを特徴とするモバイルデバイスカバー。
【請求項２】
前記モバイルデバイスカバーはさらに、前記フレームの表面上に被せる一つの補助カバーを有し、
前記補助カバーは前記フレームの窓形孔（Ｅ３）と対応する一つの透かし孔を有することを特徴とする請求項１に記載のモバイルデバイスカバー。
【請求項３】
前記モバイルデバイスカバーはさらに、前記フレームのＵ字型部材の収納孔Ｅ２の外側に、一つのストッパーを設置することを特徴とする請求項１又は２に記載のモバイルデバイスカバー。
【請求項４】
前記モバイルデバイスカバーはさらに、前記スライド式カーテンのカーテン棒ユニットの裏側に、一つの払拭布を設置することを特徴とする請求項１又は２に記載のモバイルデバイスカバー。
【考案の詳細な説明】
【技術分野】
【０００１】
本考案は、モバイルデバイスカバーに関するものであり、特に、スライド式カーテンを有するモバイルデバイスカバーに関するものである。
【背景技術】
【０００２】
タッチパネルは、既にタッチ入力機能を備えるまでに発達しており、現在、携帯電話、携帯情報端末（ＰＤＡ）及びタブレットコンピューター（Ｔａｂｌｅｔ  ｃｏｍｐｕｔｅｒ）等の携帯用電子機器（以下「モバイルデバイス」という）は、技術的に、ほとんど全てタッチ式コントロールパネルを備えた軽くて薄い電子機器となっている。過去のモバイルデバイスはボタンキーをよく用いていたが、その多くが既に上記パネルに取って代わられ、ほとんど見られなくなった。
【考案の概要】
【考案が解決しようとする課題】
【０００３】
本考案は、スライド式カーテンを備えたモバイルデバイスカバーを提供することを課題とする。
【課題を解決するための手段】
【０００４】
上記の課題を解決するための本考案の一つの特徴に従ったモバイルデバイスカバーは、一つのフレーム及び前記フレーム上に設置されスライド式のモジュールとなる一つのスライド式カーテンを有する。前記フレームはモバイルデバイスを嵌入するために用いられ、嵌入後、前記スライド式カーテンによってモバイルデバイスのタッチパネルを遮蔽することができる。これにより、前記タッチパネルを保護し、モバイルデバイスのタッチパネルが擦り傷や磨耗により損傷するのを防ぐ。また、使用者がモバイルデバイスを使用する必要がある時は、前記スライド式カーテンをスライドさせ、モバイルデバイスのタッチパネルを露出させることで、使用者は直接モバイルデバイスのタッチパネルを操作することができる。
【０００５】
前記フレームは、二つのＵ字型部材及び一つの第一連接板が一体となった構造によって構成される。前記第一連接板は縦長のフレーム板であり、その縦長方向の両端は、それぞれ前記二つのＵ字型部材のうち一つと連接される。前記二つのＵ字型部材は、互いに間隔をとり、一つの窓形孔Ｅ３を形成する。前記第一連接板の下方には、一つの挿入孔Ｅ１が形成される。
【０００６】
前記Ｕ字型部材は、一つの収納孔Ｅ２を有し、前記挿入孔Ｅ１及び前記窓形孔Ｅ３と繋がって一つの組立空間を形成し、モバイルデバイスを中に組み込める構造となる。前記二つのＵ字型部材は、その向かい合った側面に、それぞれ一つのＵ字型スライドレールを設置する。前記スライド式カーテンは、複数のカーテン棒ユニットをヒンジ結合することで構成され、一つ一つのカーテン棒ユニットの両側は、全て前記フレームの二つのＵ字型部材のＵ字型スライドレール内に設置される。前記スライド式カーテンは、スライド方式により前記フレームの窓形孔Ｅ３を開閉する事ができる。
【０００７】
本考案の他の特徴に従ったモバイルデバイスカバーは、さらに一つの補助カバーを有する。前記補助カバーは前記フレームの窓形孔と対応する一つの透かし孔が設置される。前記補助カバーは、使用者が自由に選択できるよう多様な様式の表面色彩又は花紋が施される。前記補助カバーは、本考案のモバイルデバイスカバーのフレーム表面上に嵌め込まれ、前記フレームの表面裝飾を変化させることができる。
【０００８】
本考案のさらに他の特徴に従ったモバイルデバイスカバーは、前記フレームのＵ字型部材の収納孔Ｅ２の外側に、一つの固定効果があるストッパーを有する。本考案のモバイルデバイスカバーには、前記スライド式カーテンのカーテン棒ユニットの裏側に、一つの払拭布を設置し、モバイルデバイスのタッチパネルを払拭するために用いる。
【考案の効果】
【０００９】
本考案によれば、モバイルデバイスのタッチパネルの擦り傷や磨耗による損傷を防ぎ、使用者がモバイルデバイスを使用する必要がある時に、前記スライド式カーテンをスライドさせ、モバイルデバイスのタッチパネルを露出させることで、使用者は直接モバイルデバイスのタッチパネルを操作することができるモバイルデバイスカバーを提供できる。
【図面の簡単な説明】
【００１０】
【図１】本考案のモバイルデバイスカバーの斜視図である。
【図２】本考案のモバイルデバイスカバーの分解図及びスライド式カーテンのＡ部分の局部拡大図である。
【図３】本考案のモバイルデバイスカバーの局部断面拡大図である。
【図４】本考案のモバイルデバイスカバーのスライド式カーテンの裏側に設置した払拭布の斜視図及びスライド式カーテンのＢ部分の局部拡大図である。
【図５】本考案のモバイルデバイスカバーをモバイルデバイスの使用に供した状態を示す斜視図である。
【図６】本考案のモバイルデバイスカバーのスライド式カーテンを開けてモバイルデバイスのタッチパネルを露出させた状態を示す斜視図である。
【図７】本考案のモバイルデバイスカバーに補助カバーを被せたものを示す斜視図である。
【図８】本考案のモバイルデバイスカバーに補助カバーを被せた後もスライド式カーテンを開閉する機能を保持できることを示す斜視図である。
【考案を実施するための形態】
【００１１】
添付の図面を参照しながら、本考案の実施例について以下に説明する。
【実施例１】
【００１２】
図１乃至図３に示すように、本考案のモバイルデバイスカバー１０は、一つのフレーム２０及びフレーム２０の上に設置されスライド式のモジュールとなる一つのスライド式カーテン３０を有する。
【００１３】
フレーム２０は、二つのＵ字型部材２１ａ、２１ｂ及び一つの第一連接板２５を備え、一体構造である。第一連接板２５は、二つのＵ字型部材２１ａ、２１ｂの間に間隔をとるよう設置される。
【００１４】
二つのＵ字型部材２１ａ、２１ｂは、一つの上板２２、一つの下板２３及び一つの湾曲板２４を有する。湾曲板２４の一端は上板２２と連接し、他端は下板２３と連接し、上板２２及び下板２３の間に間隔をとるよう構成される。これにより、Ｕ字型部材２１ａ、２１ｂはそれぞれ、上板２２、下板２３及び湾曲板２４により構成される一つの収納孔Ｅ２を有する。
【００１５】
図２及び図３に示すように、第一連接板２５は縦長のフレーム板であり、その縦長方向の両端はそれぞれ、間隔をとる二つのＵ字型部材２１ａ、２１ｂの上板２２と連接される。これにより構造を連接させ、フレーム２０の第一連接板２５の下方空間に、二つのＵ字型部材２１ａ、２１ｂの収納孔Ｅ２と繋がった一つの挿入孔Ｅ１を形成する。フレーム２０の二つのＵ字型部材２１ａ、２１ｂの間にある空間は、挿入孔Ｅ１及び収納孔Ｅ２と繋がる一つの窓形孔Ｅ３を形成する。
【実施例２】
【００１６】
図２に示すように、フレーム２０の別の実施例として、第一連接板２５の代わりに第二連接板２６を使用する、或いは、第一連接板２５の下方に第二連接板２６を使用してもよい。第二連接板２６は、間隔をとる二つのＵ字型部材２１ａ、２１ｂの下板２３と連結される。これにより、前述のフレーム２０同様、一つの挿入孔Ｅ１、二つの収納孔Ｅ２及び一つの窓形孔Ｅ３を有する。
【００１７】
図２に示すように、スライド式カーテン３０は、複数のカーテン棒ユニット３１をヒンジ結合し構成される。スライド式カーテン３０を設置するため、フレーム２０は、間隔をとる二つのＵ字型部材２１ａ、２１ｂの向かい合った側面に、それぞれ一つのＵ字型スライドレール２８を有する。スライド式カーテン３０の全てのカーテン棒ユニット３１の両端は、Ｕ字型スライドレール２８に設置される。スライド式カーテン３０の設置後、スライド式のモジュールとなり、Ｕ字型スライドレール２８に沿ってスライドすることができる。
【００１８】
図１及び図３に示すように、スライド式カーテン３０を操作し移動させることで、フレーム２０の窓形孔Ｅ３を、スライド式カーテン３０によって開け閉めすることができる。図２に示すように、スライド式カーテン３０の移動を操作する便宜をはかるために、スライド式カーテン３０の前列のカーテン棒ユニット３１に、一つの突起状の取っ手３２を設置してもよい。
【００１９】
図４に示すように、スライド式カーテン３０に払拭効果を生じさせるために、スライド式カーテン３０に突起状の取っ手３２を有するカーテン棒ユニット３１の裏側に、一つの払拭布３３を設置してもよい。
【００２０】
図５及び図６に示すように、本考案のモバイルデバイスカバー１０は、タッチパネル５１を有するモバイルデバイス５０に使用される。これによりモバイルデバイス５０のタッチパネル５１を、擦り傷や磨耗による損傷から保護することができる。使用時、モバイルデバイスカバー１０の挿入孔Ｅ１、収納孔Ｅ２及び窓形孔Ｅ３は合わせて一つの組立空間を形成する。大きさが合うモバイルデバイス５０を本考案のモバイルデバイスカバー１０の挿入孔Ｅ１から嵌入後、モバイルデバイス５０の全体を本考案のモバイルデバイスカバー１０の内部に設置する。
【００２１】
この時、モバイルデバイス５０のタッチパネル５１は、モバイルデバイスカバー１０のスライド式カーテン３０によって保護され、たとえ衝撃を受けても、前記スライド式カーテン３０によってモバイルデバイス５０のタッチパネル５１を擦り傷や磨耗による損傷から保護することができる。
【００２２】
図６に示すように、使用者がモバイルデバイス５０を使用する際は、モバイルデバイスカバー１０のスライド式カーテン３０を移動させるだけで、モバイルデバイス５０のタッチパネル５１を露出させることができ、これにより直接モバイルデバイス５０のタッチパネル５１を操作することができる。さらに、スライド式カーテン３０を移動させる時、その裏側に設置した払拭布３３により、同時に、モバイルデバイス５０のタッチパネル５１を払拭することができる。
【００２３】
図２及び図５が示すように、本考案のモバイルデバイスカバー１０は、フレーム２０の二つのＵ字型部材２１ａ、２１ｂの収納孔Ｅ２の外側に、一つのストッパー２７を設置してもよい。これにより、モバイルデバイス５０を本考案的モバイルデバイスカバー１０の内部に嵌入する時に、モバイルデバイス５０を適切な場所に固定し、収納孔Ｅ２から離脱することを防止することができる。
【実施例３】
【００２４】
図７及び図８に示すように、本考案のモバイルデバイスカバー１０の更に別の実施例として、モバイルデバイスカバー１０はさらに、使用者が自由に選択できるよう多様な様式の表面色彩又は花紋を施した一つの補助カバー４０を有する。補助カバー４０は、スナップボタン方式又は接着方式によって、本考案のモバイルデバイスカバー１０のフレーム２０の表面上に固定し、フレーム２０の表面裝飾を変化させることができる。補助カバー４０の形状は、本考案のモバイルデバイスカバー１０のフレーム２０の形状に対応し、フレーム２０の窓形孔Ｅ３と対応する一つの透かし孔４１の設置を含む。
【００２５】
図８に示すように、本考案のモバイルデバイスカバー１０のフレーム２０の表面に補助カバー４０を被せた後も、前記フレーム２０上に設置された前記スライド式カーテン３０は、依然としてスライド機能を有する。したがって、使用者によるモバイルデバイス５０のタッチパネル５１の操作を妨げない。
【００２６】
上述において、本考案の説明の利便性のために最良の実施例を挙げて説明したが、これらの実施例は本考案の請求の範囲を限定するものではなく、本考案に基づく本考案の要旨を逸脱しないあらゆる変更は本考案の特許請求の範囲に含まれる。
【符号の説明】
【００２７】
１０    モバイルデバイスカバー
２０    フレーム
２１ａ、２１ｂ    Ｕ字型部材
２２    上板
２３    下板
２４    湾曲板
２５    第一連接板
２６    第二連接板
２７    ストッパー
２８    Ｕ字型スライドレール
３０    スライド式カーテン
３１    カーテン棒ユニット
３２    突起状の取っ手
３３    払拭布
４０    補助カバー
４１    透かし孔
５０    モバイルデバイス
５１    タッチパネル
Ｅ１    挿入孔
Ｅ２    収納孔
Ｅ３    窓形孔
【図１】
0003172895.tif 000003
【図２】
0003172895.tif 000004
【図３】
0003172895.tif 000005
【図４】
0003172895.tif 000006
【図５】
0003172895.tif 000007
【図６】
0003172895.tif 000008
【図７】
0003172895.tif 000009
【図８】
0003172895.tif 000010